(57)【特許請求の範囲】
【請求項１】
タイヤの内部で膨張してタイヤを保持するブラダーを固定するブラダー固定ユニットにおいて、
前記ブラダーの内部に挿入される軸体と、前記ブラダーを固定し、前記ブラダーと前記軸体とを接続する接続体と、を備え、
前記接続体は、前記軸体の軸方向の複数の位置において、前記軸体の外周部に加圧接触することで前記軸体に固定される状態と、前記軸体の軸方向の複数の位置間を移動するために、当該加圧接触を解除することで前記軸体に対して軸方向で移動可能な状態とに切り替える切替機構を備えるブラダー固定ユニット。
【請求項２】
前記切替機構は、前記軸体が内部に挿入される筒状の内筒体と、前記内筒体に対して軸方向の一方側に移動することで、内周部が前記内筒体の外周部に接触する筒状の外筒体とを備え、
前記内筒体は、前記軸体の外周部に加圧接触する接触部と、前記内筒体の外周部が前記外筒体の内周部に接触することで、前記接触部が前記軸体の外周部に接近して加圧接触するように、弾性変形する弾性部と、を備える、請求項１に記載のブラダー固定ユニット。
【請求項３】
前記外筒体は、前記ブラダーを固定し、
前記内筒体の外周部及び前記外筒体の内周部は、前記ブラダーが膨らむことに伴って前記外筒体が前記内筒体に対して軸方向の一方側に移動することで前記弾性部が弾性変形するように、それぞれ軸方向の一方側に向けて拡径するようなテーパー状に形成される、請求項２に記載のブラダー固定ユニット。
【請求項４】
前記切替機構は、前記接続体が前記軸体に固定される状態である際に、前記外筒体が前記内筒体に対して軸方向の一方側に移動する方向に、前記外筒体を付勢する付勢体を備える、請求項２又は３に記載のブラダー固定ユニット。
【発明の詳細な説明】
【技術分野】
【０００１】
本発明は、タイヤの内部で膨張してタイヤを保持するブラダーを固定するブラダー固定ユニットに関する。
【背景技術】
【０００２】
従来、タイヤの内部で膨張してタイヤを保持するブラダーは、ブラダー固定ユニットに固定されている（例えば、特許文献１）。ところで、斯かるブラダー固定ユニットは、所定サイズのタイヤの専用品とされており、複数のサイズのタイヤに対応することができない。
【先行技術文献】
【特許文献】
【０００３】
【特許文献１】特開２００７−９８８０３号公報
【発明の概要】
【発明が解決しようとする課題】
【０００４】
よって、本発明は、斯かる事情に鑑み、複数のサイズのタイヤに対応することができるブラダー固定ユニットを提供することを課題とする。
【課題を解決するための手段】
【０００５】
ブラダー固定ユニットは、タイヤの内部で膨張してタイヤを保持するブラダーを固定するブラダー固定ユニットにおいて、前記ブラダーの内部に挿入される軸体と、前記ブラダーを固定し、前記ブラダーと前記軸体とを接続する接続体と、を備え、前記接続体は、前記軸体の外周部に加圧接触することで前記軸体に固定される状態と、当該加圧接触を解除することで前記軸体に対して軸方向で移動可能な状態とに切り替える切替機構を備える。
【０００６】
また、ブラダー固定ユニットにおいては、前記切替機構は、前記軸体が内部に挿入される筒状の内筒体と、前記内筒体に対して軸方向の一方側に移動することで、内周部が前記内筒体の外周部に接触する筒状の外筒体とを備え、前記内筒体は、前記軸体の外周部に加圧接触する接触部と、前記内筒体の外周部が前記外筒体の内周部に接触することで、前記接触部が前記軸体の外周部に接近して加圧接触するように、弾性変形する弾性部と、を備える、という構成でもよい。
【０００７】
また、ブラダー固定ユニットにおいては、前記外筒体は、前記ブラダーを固定し、前記内筒体の外周部及び前記外筒体の内周部は、前記ブラダーが膨らむことに伴って前記外筒体が前記内筒体に対して軸方向の一方側に移動することで前記弾性部が弾性変形するように、それぞれ軸方向の一方側に向けて拡径するようなテーパー状に形成される、という構成でもよい。
【０００８】
また、ブラダー固定ユニットにおいては、前記切替機構は、前記接続体が前記軸体に固定される状態である際に、前記外筒体が前記内筒体に対して軸方向の一方側に移動する方向に、前記外筒体を付勢する付勢体を備える、という構成でもよい。
【発明の効果】
【０００９】
以上の如く、ブラダー固定ユニットは、複数のサイズのタイヤにも対応することができる、という優れた効果を奏する。
【図面の簡単な説明】
【００１０】
【図１】図１は、一実施形態に係るブラダー固定ユニットを備えるタイヤ加硫装置の全体概略断面図である。
【図２】図２は、同実施形態に係るブラダー固定ユニットの全体断面図であって、可動状態を示す図である。
【図３】図３は、図２の要部拡大図である。
【図４】図４は、同実施形態に係るブラダー固定ユニットの全体断面図であって、固定状態を示す図である。
【図５】図５は、図４の要部拡大図である。
【図６】図６は、同実施形態に係る内筒体の全体正面図である。
【図７】図７は、同実施形態に係る外筒体を有するアッセンブリの全体断面図である。
【図８】図８は、同実施形態に係るブラダー固定ユニットの要部断面図であって、状態の切り替えを説明する図である。
【図９】図９は、同実施形態に係るブラダー固定ユニットの要部断面図であって、状態の切り替えを説明する図である。
【図１０】図１０は、他の実施形態に係るブラダー固定ユニットのブラダー固定ユニットの要部断面図であって、可動状態を示す図である。
【図１１】図１１は、同実施形態に係るブラダー固定ユニットのブラダー固定ユニットの要部断面図であって、固定状態を示す図である。
【図１２】図１２は、さらに他の実施形態に係る内筒体の全体断面図である。
【図１３】図１３は、さらに他の実施形態に係る外筒体を有するアッセンブリの全体断面図である。
【発明を実施するための形態】
【００１１】
以下、ブラダー固定ユニットにおける一実施形態について、図１〜図９を参酌して説明する。なお、各図（図１０〜図１３も同様）において、図面の寸法比と実際の寸法比とは、必ずしも一致していない。
【００１２】
図１に示すように、本実施形態に係るタイヤ加硫装置１００は、上方に配置される上部コンテナ１１と、下方に配置される下部コンテナ１２と、タイヤ２００を保持するタイヤ保持ユニット１０とを備えている。また、タイヤ加硫装置１００は、タイヤ保持ユニット１０に対して流体を流入・流出させる流体装置１３と、上部コンテナ１１を駆動させる駆動装置１４とを備えている。
【００１３】
上部コンテナ１１は、タイヤ２００のサイドウォール部を成形するサイドモールド１１ａと、タイヤ２００のトレッド部を成形する複数のトレッドモールド１１ｂと、タイヤ２００のビード部が嵌合されるビードリング１１ｃとを備えている。下部コンテナ１２は、タイヤ２００のサイドウォール部を成形するサイドモールド１２ａと、タイヤ２００のビード部が嵌合されるビードリング１２ｂとを備えている。
【００１４】
タイヤ保持ユニット１０は、タイヤ２００の内部で膨張してタイヤ２００を保持するブラダー２０と、ブラダー２０を固定するブラダー固定ユニット１とを備えている。そして、タイヤ保持ユニット１０は、下部コンテナ１２に着脱可能に構成されている。
【００１５】
ブラダー固定ユニット１は、ブラダー２０の内部に挿入される軸体２と、ブラダー２０と軸体２とを固定する固定体３と、ブラダー２０と軸体２とを接続する接続体４とを備えている。また、ブラダー固定ユニット１は、ブラダー２０の内部に流体を流入する流入部１ａと、ブラダー２０の内部から流体を流出する流出部１ｂとを備えている。
【００１６】
流入部１ａ及び流出部１ｂは、軸体２に固定されており、ブラダー２０の内部に配置するように、固定体３と接続体４との間に配置されている。また、軸体２は、流体が内部を流通するために、一方側（図１における下方側）の第１端部２１と流入部１ａとを連通する流入路２３と、第１端部２１と流出部１ｂとを連通する流出路２４とを備えている。
【００１７】
流体装置１３は、タイヤ保持ユニット１０が下部コンテナ１２に装着された際に、軸体２の第１端部２１を保持する軸体保持部１３ａを備えている。また、流体装置１３は、軸体保持部１３ａ、流入路２３（流出路２４）、及び流入部１ａ（流出部１ｂ）を経由して、ブラダー２０の内部に流体を流入・流出させる流体源１３ｂを備えている。なお、流体は、例えば、蒸気や、窒素やヘリウムといった不活性ガス等である。
【００１８】
駆動装置１４は、型開き時には、一対のサイドモールド１１ａ，１２ａ同士を離反させると共に、環状に並列される複数のトレッドモールド１１ｂが放射状に広がるように、各トレッドモールド１１ｂを外方に移動させる。これにより、タイヤ２００の出し入れが可能になる。
【００１９】
また、駆動装置１４は、型締め時には、トレッドモールド１１ｂが寄り集まって連接した円環状になるように、各トレッドモールド１１ｂを内方に移動させると共に、サイドモールド１１ａ，１２ａ同士を接近させる。これにより、各モールド１１ａ，１１ｂ，１２ａの内面がタイヤ２００の外表面に密着し得る状態になる。
【００２０】
図２に示すように、ブラダー２０は、筒状に形成されており、第１開口部２０ａと第２開口部２０ｂとを備えている。本実施形態においては、ブラダー２０は、伸縮性を有する材質、例えば、ゴムで形成されている。
【００２１】
軸体２の軸方向と直交する断面の外形状は、軸方向に亘って、同じである。本実施形態においては、軸体２は、円柱状に形成されており、断面の外形状は、軸方向に亘って同じ径の円形状である。また、本実施形態においては、軸体２は、剛性を有する材質、例えば、ステンレス鋼等の金属で形成されている。
【００２２】
固定体３は、ブラダー２０の第２開口部２０ｂを固定するブラダー固定部３１と、流体がブラダー２０の第２開口部２０ｂから流出することを抑制すべく、ブラダー２０の第２開口部２０ｂを閉塞する閉塞部３２を備えている。そして、閉塞部３２は、円板状に形成されており、ブラダー固定部３１は、閉塞部３２の外周部に連結されている。
【００２３】
そして、閉塞部３２は、軸体２の他方側の第２端部２２に不動に固定されている。これにより、固定体３は、軸体２の他方側の第２端部２２に不動に固定され、ブラダー２０と軸体２とを固定している。なお、ブラダー２０の第２開口部２０ｂは、ブラダー固定部３１に対して着脱可能である。
【００２４】
図２〜図５に示すように、接続体４は、ブラダー２０の第１開口部２０ａを固定するブラダー固定部４１と、流体がブラダー２０の第１開口部２０ａから流出することを抑制すべく、ブラダー２０の第１開口部２０ａを閉塞する閉塞部４２とを備えている。また、接続体４は、軸体２に固定される固定状態と軸体２に対して軸方向で移動可能な可動状態とに切り替える切替機構５を備えている。
【００２５】
閉塞部４２は、環状の板状に形成されており、ブラダー固定部４１は、閉塞部４２の外周部に連結されている。そして、軸体２は、閉塞部４２の孔に挿入されており、閉塞部４２は、切替機構５により、軸体２に固定される固定状態と軸体２に対して軸方向で移動可能な可動状態とに切り替えられる。なお、ブラダー２０の第１開口部２０ａは、ブラダー固定部４１に対して着脱可能である。
【００２６】
切替機構５は、軸体２が内部に挿入される筒状の内筒体５１と、内筒体５１が内部に挿入される筒状の外筒体５２と、内筒体５１及び外筒体５２を付勢する付勢体５３とを備えている。なお、外筒体５２は、ブラダー２０と固定されている。具体的には、外筒体５２は、軸方向の他方側（軸体２の第２端部２２側）で、ブラダー固定部４１及び閉塞部４２と連結されている。
【００２７】
図２〜図７に示すように、内筒体５１は、軸方向の他方側に、外周部が軸方向の一方側（軸体２の第１端部２１側）に向けて拡径するようにテーパー状に形成される内筒テーパー部５１ａを備えている。そして、内筒体５１は、軸方向の一方側に、外筒体５２から突出している露出部５１ｂを備えている。
【００２８】
外筒体５２は、軸方向の他方側に、内周部が軸方向の一方側に向けて拡径するようにテーパー状に形成される外筒テーパー部５２ａを備えている。そして、外筒体５２は、軸方向の一方側に、径方向の内方に向けて突出する突出部５２ｂを備えている。
【００２９】
外筒テーパー部５２ａは、軸方向において、内筒テーパー部５１ａと重なっている。したがって、外筒テーパー部５２ａの内周部は、外筒体５２が内筒体５１に対して軸方向の一方側に移動することで、内筒テーパー部５１ａの外周部に接触する。
【００３０】
そして、内筒テーパー部５１ａは、外周部が外筒テーパー部５２ａの内周部に接触することで、弾性変形する弾性部５１ｃを備えている。具体的には、内筒テーパー部５１ａは、円筒状に形成されるベース部５１ｄと、ベース部５１ｄから軸方向の他方側に向けて突出し、周方向に沿って並列される複数の弾性片５１ｅとを備えている。
【００３１】
また、内筒テーパー部５１ａは、内周部に、軸体２の外周部に加圧接触する接触部５１ｆを備えている。そして、接触部５１ｆは、弾性部５１ｃが弾性変形することにより、軸体２の外周部に接近して加圧接触する。本実施形態においては、内筒体５１及び外筒体５２は、例えば、ステンレス鋼等の金属で形成されている。なお、内筒体５１は、接触部５１ｆのみ他の部分とは異なる材質、例えば、他の部分と比較して、軸体２に対して摩擦係数が大きい材質で形成されていてもよい。
【００３２】
付勢体５３は、本実施形態においては、筒状の弦巻バネである。そして、内筒体５１は、付勢体５３の内部に挿入されている。また、付勢体５３は、内筒体５１の内筒テーパー部５１ａと外筒体５２の突出部５２ｂとの間に配置されている。なお、付勢体５３は、内筒体５１及び外筒体５２を付勢することで安定させており、それにより、内筒体５１及び外筒体５２の軸方向を一致させている。
【００３３】
付勢体５３は、図２及び図３に示すように、接続体４が可動状態である際に、縮むように弾性変形しており、その復元力により、外筒体５２が内筒体５１に対して軸方向の一方側に移動するように、外筒体５２を付勢している。さらに、付勢体５３は、図４及び図５に示すように、接続体４が固定状態である際にも、縮むように弾性変形しており、その復元力により、外筒体５２が内筒体５１に対して軸方向の一方側に移動する方向に、外筒体５２を付勢している。
【００３４】
本実施形態に係るブラダー固定ユニット１の構成については以上の通りであり、次に、本実施形態に係るブラダー固定ユニット１の可動状態と固定状態との切り替え方法について、図８及び図９を参酌して説明する。
【００３５】
図８に示すように、内筒体５１の弾性部５１ｃが復元している（弾性変形していない）可動状態においては、接続体４は、軸体２に対して軸方向で移動することができる。したがって、保持するタイヤ２００に応じて、接続体４が所定の位置に配置される。そして、内筒体５１と軸体２とが保持された状態で、流体がブラダー２０の内部に流入される。
【００３６】
これにより、図９に示すように、ブラダー２０が膨らむことに伴って、外筒体５２が内筒体５１に対して軸方向の一方側（図９の下方側）に移動する。そして、外筒テーパー部５２ａの内周部が内筒テーパー部５１ａの外周部に接触するため、弾性部５１ｃが弾性変形する。その結果、接触部５１ｆが軸体２の外周部に接近して加圧接触するため、接続体４は、軸体２に固定され、固定状態に切り替わる。
【００３７】
そして、接続体４が固定状態である際に、付勢体５３は、外筒体５２が内筒体５１に対して軸方向の一方側に移動する方向に、外筒体５２を付勢している。したがって、外力が接続体４に付加されない限り、接続体４の固定状態が維持される。
【００３８】
また、接続体４が固定状態である際に、外力が接続体４に付加され、内筒体５１が外筒体５２に対して軸方向の一方側に移動することで、図８に示すように、弾性変形していた弾性部５１ｃが復元する。これにより、接続体４が可動状態になる。このように、接続体４は、切替機構５により、軸体２の外周部に加圧接触することで軸体２に固定される固定状態と、当該加圧接触を解除することで軸体２に対して軸方向で移動可能な可動状態とに切り替えられる。
【００３９】
以上より、本実施形態に係るブラダー固定ユニット１は、タイヤ２００の内部で膨張してタイヤ２００を保持するブラダー２０を固定するブラダー固定ユニット１において、前記ブラダー２０の内部に挿入される軸体２と、前記ブラダー２０を固定し、前記ブラダー２０と前記軸体２とを接続する接続体４と、を備え、前記接続体４は、前記軸体２の外周部に加圧接触することで前記軸体２に固定される状態と、当該加圧接触を解除することで前記軸体２に対して軸方向で移動可能な状態とに切り替える切替機構５を備える。
【００４０】
斯かる構成によれば、ブラダー２０を固定する接続体４は、ブラダー２０と、ブラダー２０の内部に挿入される軸体２とを接続している。そして、接続体４は、切替機構５により、軸体２の外周部に加圧接触することで、軸体２に固定される状態と、当該加圧接触を解除することで、軸体２に対して軸方向で移動可能な状態とに切り替えられる。これにより、軸体２の複数の位置で、接続体４を軸体２に固定することができるため、複数のサイズのタイヤ２００に対応することができる。
【００４１】
また、本実施形態に係るブラダー固定ユニット１においては、前記切替機構５は、前記軸体２が内部に挿入される筒状の内筒体５１と、前記内筒体５１に対して軸方向の一方側に移動することで、内周部が前記内筒体５１の外周部に接触する筒状の外筒体５２とを備え、前記内筒体５１は、前記軸体２の外周部に加圧接触する接触部５１ｆと、前記内筒体５１の外周部が前記外筒体５２の内周部に接触することで、前記接触部５１ｆが前記軸体２の外周部に接近して加圧接触するように、弾性変形する弾性部５１ｃと、を備える、という構成である。
【００４２】
斯かる構成によれば、筒状の内筒体５１は、軸体２が内部に挿入されている。そして、筒状の外筒体５２が内筒体５１に対して軸方向の一方側に移動することで、外筒体５２の内周部が内筒体５１の外周部に接触する。また、内筒体５１は、軸体２の外周部に加圧接触する接触部５１ｆと、弾性変形する弾性部５１ｃとを備えている。
【００４３】
そして、内筒体５１の外周部が外筒体５２の内周部に接触することで、弾性部５１ｃが弾性変形するため、接触部５１ｆが軸体２の外周部に接近して加圧接触する。これにより、接続体４は、軸体２に対して軸方向で移動可能な状態から、軸体２に固定される状態に切り替えられる。
【００４４】
また、本実施形態に係るブラダー固定ユニット１においては、前記外筒体５２は、前記ブラダー２０を固定し、前記内筒体５１の外周部及び前記外筒体５２の内周部は、前記ブラダー２０が膨らむことに伴って前記外筒体５２が前記内筒体５１に対して軸方向の一方側に移動することで前記弾性部５１ｃが弾性変形するように、それぞれ軸方向の一方側に向けて拡径するようなテーパー状に形成される、という構成である。
【００４５】
斯かる構成によれば、外筒体５２は、ブラダー２０を固定している。そして、内筒体５１の外周部及び外筒体５２の内周部は、それぞれ軸方向の一方側に向けて拡径するようなテーパー状に形成されている。これにより、ブラダー２０が膨らむことに伴って、外筒体５２が内筒体５１に対して軸方向の一方側に移動して、外筒体５２の内周部が内筒体５１の外周部に接触する。
【００４６】
その結果、前記弾性部５１ｃが弾性変形するため、接触部５１ｆを軸体２の外周部に加圧接触させることができる。したがって、ブラダー２０を膨らませることにより、接続体４を可動状態から固定状態に切り替えることができる。
【００４７】
また、本実施形態に係るブラダー固定ユニット１においては、前記切替機構５は、前記接続体４が前記軸体２に固定される状態である際に、前記外筒体５２が前記内筒体５１に対して軸方向の一方側に移動する方向に、前記外筒体５２を付勢する付勢体５３を備える、という構成である。
【００４８】
斯かる構成によれば、接続体４が軸体２に固定される状態である際に、付勢体５３は、外筒体５２が内筒体５１に対して軸方向の一方側に移動する方向に、外筒体５２を付勢している。これにより、接触部５１ｆが軸体２の外周部に加圧接触して接続体４が軸体２に固定される状態を維持することができる。
【００４９】
なお、ブラダー固定ユニットは、上記した実施形態の構成に限定されるものではなく、また、上記した作用効果に限定されるものではない。また、ブラダー固定ユニットは、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５０】
例えば、上記実施形態に係るブラダー固定ユニット１においては、切替機構５は、内筒体５１と、外筒体５２とを備え、内筒体５１は、内筒体５１の外周部が外筒体５２の内周部に接触することで、接触部５１ｆが軸体２の外周部に接近して加圧接触するように、弾性変形する弾性部５１ｃを備える、という構成である。しかしながら、ブラダー固定ユニットは、斯かる構成に限られない。
【００５１】
例えば、ブラダー固定ユニットにおいては、図１０及び図１１に示すように、切替機構６は、軸体２が挿入される開口部６１ａを有する板体６１を備え、板体６１の開口部６１ａは、板体６１が軸体２の外部に配置される回転軸６３ａで回動することで、軸体２の外周部に加圧接触する、という構成でもよい。
【００５２】
図１０及び図１１に係る切替機構６は、軸体２が挿入される開口部６１ａを有する板体６１と、板体６１を付勢する付勢体６２とを備えている。また、切替機構６は、板体６１及び付勢体６２を収容する本体部６３と、板体６１を操作する操作部６４とを備えている。
【００５３】
本体部６３は、軸方向の他方側（図１０及び図１１の上方側）で、ブラダー固定部４１及び閉塞部４２と連結されている。そして、板体６１の基端部は、軸体２の外部に配置される回転軸６３ａにより、本体部６３に回転可能に接続されている。本実施形態においては、付勢体６２は、弦巻バネとしている。
【００５４】
図１０に示すように、付勢体６２が復元している際には、板体６１は、軸体２に対して直交するように配置されている。このとき、接続体４は、軸体２に対して軸方向で移動可能な可動状態である。
【００５５】
そして、図１１に示すように、操作部６４が、付勢体６２の付勢力に抗して、板体６１の先端部を軸方向の他方側に向けて押すことで、板体６１は、軸体２の外部に配置される回転軸６３ａを中心にして、回動する。これにより、板体６１の開口部６１ａが軸体２の外周部に加圧接触するため、接続体４は、軸体２に対して固定される固定状態になる。
【００５６】
このように、接続体４は、切替機構６により、軸体２の外周部に加圧接触することで、軸体２に固定される状態（図１１）と、当該加圧接触を解除することで、軸体２に対して軸方向で移動可能な状態（図１０）とに切り替えられる。なお、操作部６４は、図１０に示す第１位置と、図１１に示す第２位置とでそれぞれ保持可能である。
【００５７】
また、上記実施形態に係るブラダー固定ユニット１においては、軸体２の断面形状は、円形状である、という構成である。しかしながら、ブラダー固定ユニットは、斯かる構成に限られない。例えば、ブラダー固定ユニットにおいては、軸体２の断面形状は、多角形状である、という構成でもよく、また、軸体２の断面形状は、楕円形状である、という構成でもよい。
【００５８】
また、上記実施形態に係るブラダー固定ユニット１においては、外筒体５２は、ブラダー２０と固定される、という構成である。しかしながら、ブラダー固定ユニットは、斯かる構成に限られない。例えば、ブラダー固定ユニットにおいては、内筒体５１は、ブラダー２０と固定される、という構成でもよい。
【００５９】
また、上記実施形態に係るブラダー固定ユニット１においては、内筒体５１の外周部は、軸方向の一方側に向けて拡径するようなテーパー状に形成されると共に、外筒体５２の内周部は、軸方向の一方側に向けて拡径するようなテーパー状に形成される、という構成である。しかしながら、ブラダー固定ユニットは、斯かる構成に限られない。例えば、ブラダー固定ユニットにおいては、内筒体５１の外周部及び外筒体５２の内周部の一方のみが、軸方向の一方側に向けて拡径するようなテーパー状に形成される、という構成でもよい。
【００６０】
また、上記実施形態に係るブラダー固定ユニット１においては、付勢体５３は、弦巻バネである、という構成である。しかしながら、ブラダー固定ユニットは、斯かる構成に限られない。例えば、ブラダー固定ユニットにおいては、付勢体５３は、加圧された気体を用いることにより、内筒体５１及び外筒体５２を付勢する、という構成でもよい。
【００６１】
また、固定ユニット１においては、図１２に示すように、内筒体５１は、外周部に、円板状又は球状の回転体５１ｇを備えている、という構成でもよい。斯かる回転体５１ｇは、回転軸５１ｈを中心に回転可能であって、外筒体５２の内周部が内筒体５１の外周部にスライドする際に、回転する。斯かる構成によれば、外筒体５２が内筒体５１に対して軸方向の一方側に移動することが、円滑になる。
【００６２】
また、固定ユニット１においては、図１３に示すように、外筒体５２は、内周部に、円板状又は球状の回転体５２ｃを備えている、という構成でもよい。斯かる回転体５２ｃは、回転軸５２ｄを中心に回転可能であって、外筒体５２の内周部が内筒体５１の外周部にスライドする際に、回転する。斯かる構成によれば、外筒体５２が内筒体５１に対して軸方向の一方側に移動することが、円滑になる。
【符号の説明】
【００６３】
１…ブラダー固定ユニット、１ａ…流入部、１ｂ…流出部、２…軸体、３…固定体、４…接続体、５…切替機構、６…切替機構、１０…タイヤ保持ユニット、１１…上部コンテナ、１１ａ…サイドモールド、１１ｂ…トレッドモールド、１１ｃ…ビードリング、１２…下部コンテナ、１２ａ…サイドモールド、１２ｂ…ビードリング、１３…流体装置、１３ａ…軸体保持部、１３ｂ…流体源、１４…駆動装置、２０…ブラダー、２０ａ…第１開口部、２０ｂ…第２開口部、２１…第１端部、２２…第２端部、２３…流入路、２４…流出路、３１…ブラダー固定部、３２…閉塞部、４１…ブラダー固定部、４２…閉塞部、５１…内筒体、５１ａ…内筒テーパー部、５１ｂ…露出部、５１ｃ…弾性部、５１ｄ…ベース部、５１ｅ…弾性片、５１ｆ…接触部、５１ｇ…回転体、５１ｈ…回転軸、５２…外筒体、５２ａ…外筒テーパー部、５２ｂ…突出部、５２ｃ…回転体、５２ｄ…回転軸、５３…付勢体、６１…板体、６１ａ…開口部、６２…付勢体、６３…本体部、６３ａ…回転軸、６４…操作部、１００…タイヤ加硫装置、２００…タイヤ
【図１】
0006735079.tif 000002
【図２】
0006735079.tif 000003
【図３】
0006735079.tif 000004
【図４】
0006735079.tif 000005
【図５】
0006735079.tif 000006
【図６】
0006735079.tif 000007
【図７】
0006735079.tif 000008
【図８】
0006735079.tif 000009
【図９】
0006735079.tif 000010
【図１０】
0006735079.tif 000011
【図１１】
0006735079.tif 000012
【図１２】
0006735079.tif 000013
【図１３】
0006735079.tif 000014